(57)【要約】【課題】足のサイズに関わらずゲルマニウムのよい影響を享受できることで、更なる健康の増進を図ることが可能な草履を提供する。【解決手段】草履１は、鼻緒２と草履台３とを有している。この草履台３は、所定間隔ごとに配列された４本の縦部材３１ｂの両端部が横部材３１ｃにより連結された芯材３１と、それぞれの縦部材３１ｂに、表裏交互に編み込まれた紐状部材３２とで形成されている。芯材３１はポリプロピレン製板材で形成され、紐状部材３２はゲルマニウムの粉末が含有された布地により形成されている。そうすることで、足裏のサイズによって足裏のつぼが草履台上で位置が変わったとしても、ゲルマニウムを含む布地が足裏に接触して密着するので、足裏のつぼをゲルマニウムにより刺激することができる。【選択図】図２
0003137035.tif 000002
【実用新案登録請求の範囲】
【請求項１】
鼻緒と草履台とを有する草履において、
前記草履台は、所定間隔ごとに配列された縦部材に、それぞれ表裏交互に紐状部材が編み込まれものであり、
前記紐状部材は、ゲルマニウムの粉末が含有された布地により形成されていることを特徴とする草履。
【請求項２】
前記縦部材は、前端部と後端部とがそれぞれ横部材により連結されている請求項１記載の草履。
【請求項３】
前記縦部材は、平板状に形成されている請求項１または２記載の草履。
【考案の詳細な説明】
【技術分野】
【０００１】
本考案は、紐状部材により形成された草履台に鼻緒を設けた草履に関する。
【背景技術】
【０００２】
足の裏には、臓器と関連するツボが集中しているといわれており、足裏健康法と呼ばれるマッサージや運動が行われている。例えば、足のツボを刺激するように手の親指で足裏を揉みほぐしたり、足の指を閉じたり開いたりする運動をしたり、足踏みの運動をしたりするなどして、健康の増進を図ることが行われている。
【０００３】
ところで、ゲルマニウムは身体によい影響を与えることから、粒状のゲルマニウムをシールと共に身体に貼り付けるゲルマニウム粒貼付型の医療用具が普及している。このゲルマニウム粒貼付型の医療用具は、首筋、肩、背中、腰などの患部に適宜貼り付けることができるが、足裏に貼り付けると足裏が履物の中で擦れたり、歩くときに足裏にしわが寄ったりして、シールが剥がれることがある。そこで履物にゲルマニウムを備えたものが知られている。
【０００４】
例えば、特許文献１には、ゲルマニウム半導体の一面を凹凸面とし、それに磁力の強い永久磁石の一面を凹凸面としたものを嵌め込んで、接着剤、または両面テープで接着して、靴、草履、下駄、地下足袋、雪駄、スリッパ、サンダル等の中敷きに備えた健康増進素子を用いた履物が記載されている。
【０００５】
また、特許文献２には、履物の中敷または内底を形成する底板部材の爪先寄り部分に、銀とゲルマニウムの合金で形成された薄板を、外部から見えないように埋設した中敷及び履物用内底が記載されている。
【０００６】
このようなゲルマニウムを備えた中敷きや履物とすることで、歩いているときでも足裏にゲルマニウムが常に接触した状態に保つことができる。
【０００７】
【特許文献１】特開昭５８−１５９７０１号公報
【特許文献２】実用新案登録第３１１７５３６号公報
【考案の開示】
【考案が解決しようとする課題】
【０００８】
しかし、特許文献１の健康増進素子を用いた履物では、ゲルマニウムを中敷きに点在させたものであり、また特許文献２の中敷き及び履物用内底では、ゲルマニウムを含む薄い板を、底板部材の爪先寄り部分に埋設したものなので、この履物を履く足のサイズによっては、ゲルマニウムが足裏の所望とする位置から外れるおそれがある。そうなると、ゲルマニウムによる身体への影響が薄れ、思ったより効果が得られないおそれがある。
【０００９】
そこで本考案は、足のサイズに関わらずゲルマニウムのよい影響を享受できることで、更なる健康の増進を図ることが可能な草履を提供することを目的とする。
【課題を解決するための手段】
【００１０】
本考案の草履は、鼻緒と草履台とを有する草履において、前記草履台は、所定間隔ごとに配列された縦部材に、それぞれ表裏交互に紐状部材が編み込まれものであり、前記紐状部材は、ゲルマニウムの粉末が含有された布地により形成されていることを特徴とする。
【００１１】
本考案の草履は、所定間隔ごとに配置された縦部材に紐状部材が表裏交互に編み込まれている。この紐状部材は、ゲルマニウムの粉末が含有された布地により形成されている。つまり、草履台の長さよりも足のサイズが短い使用者でも、本考案の草履を履くだけで、ほぼ足裏全体にゲルマニウムを含む布地を接触させることができる。また、歩くときには、鼻緒を親指と中指とでしっかり鋏み、草履台を踏み付けながら進むことになるので、紐状部材と足裏とがより密着した状態となる。従って、草履を履いたときに、足裏のサイズによって足裏のつぼが草履台上で位置が変わったとしても、ゲルマニウムを含む布地が足裏に接触して密着するので、足裏のつぼをゲルマニウムにより刺激することができる。
【００１２】
前記縦部材は、前端部と後端部とがそれぞれ横部材により連結されているのが望ましい。紐状部材を編み込む縦部材の前端部と後端部とがそれぞれ横部材により連結されていると、縦部材の間隔は横部材により固定された状態となる。従って、縦部材の間隔が一定に保たれるので、紐状部材を横紐として編み込む際に縦部材の間隔を安定させることができることで、紐状部材の編み込みを容易に行うことができ、かつ各横紐間で均一に編み込むことができ、紐状部材のゲルマニウムからの刺激を偏り無く足裏に与えることができる。
【００１３】
前記縦部材は、平板状に形成されているのが望ましい。縦部材が平板状に形成されていると、断面円形の縦部材より、紐状部材を編み込んだときに、草履台における平らな部分を増加させることができる。従って、紐状部材が表裏に交差しながら編み込むことでできる窪みの幅を少ないものとすることができ、足裏に密着する面積をより増加させることができる。
【考案の効果】
【００１４】
本考案の草履は、足裏のサイズによって足裏のつぼが草履台上で位置が変わったとしても、ゲルマニウムを含む布地が足裏に接触して密着するので、足裏のつぼをゲルマニウムにより刺激することができる。よって、本考案の草履は、足のサイズに関わらずゲルマニウムのよい影響を享受できることで、更なる健康の増進を図ることが可能である。
【考案を実施するための最良の形態】
【００１５】
本考案の実施の形態に係る草履を、図面に基づいて説明する。図１は、本考案に係る草履全体を示す斜視図である。図２は、図１に示す草履の平面図である。図３は、図１に示す草履の断面図である。図４は、図１に示す草履の芯材を示す平面図である。
【００１６】
図１に示す本考案の実施の形態に係る草履１は、鼻緒２と草履台３とを備えた布草履であり、スリッパの代わりに室内で履くものである。鼻緒２は、長尺の帯状の布地を多数回折り畳んだ細紐を三つ編みとすることで形成され、前緒２１の環状部分にＶ字状の横緒２２が挿通した状態で草履台３に取り付けられている。
【００１７】
草履台３は、芯材３１に紐状部材３２を編み込むことで形成されている。芯材３１は、大人用サイズのもので、四角形の角を丸くした長さが約１８ｃｍ、幅が約８ｃｍ、厚みが約５ｍｍの堅牢で、耐久性があり、かつ柔軟性があるポリプロピレン製板材に、長さが約１３ｃｍ、幅が約１ｃｍの四角形状の長孔３１ａが、３ヵ所設けたものである。つまり、芯材３１は、ポリプロピレン製板材に長孔３１ａを設けることで、所定間隔ごとに配置され、平板状に形成された縦部材３１ｂの両端部が、横部材３１ｃで連結された型枠として機能する。この芯材３１のそれぞれの寸法を変更することで、草履１のサイズを調整することができる。
【００１８】
芯材３１には長孔３１ａが３つ設けられているが、２つでも、４つ以上でもよい。しかし、長孔が偶数では鼻緒２の前緒２１の取り付けが幅方向の中心からずれてしまうため、長孔は偶数とするのが望ましい。また、長孔が４つ以上では、紐状部材３２を縦部材３１ｂに編み込むのに大変な手間を要するため、長孔３１ａは３つとするのが最も望ましい
【００１９】
芯材３１は、運搬用のケース材としても使用できる耐久性の高いポリプロピレン製板材とする以外に、主に緩衝材として使用されるポリエチレンを発泡させた樹脂発泡体とすることができる。芯材３１をポリエチレンを発泡させた樹脂発泡体とするとクッション性が向上する。
【００２０】
紐状部材３２は、長尺の帯状の布地を多数回折り畳んだ細紐で形成されている。この紐状部材３２を形成する布地は、天然鉱石ゲルマニウムとジルコニウムとを、粉砕してレーヨン糸に練り込み、綿，アクリル，ポリエステル等の繊維と混紡することで形成されている。この布地は、例えば、特開２００５−２９９０２１号公報に記載された天然鉱石の粉末を含有する繊維を用いて紡織することができる。紐状部材３２をゲルマニウムを含有した布地とする以外に、鼻緒２も同じ布地とすることができる。そうすることで、足の甲に対してもゲルマニウムの効能が期待できる。
【００２１】
以上のように構成された本考案に係る草履１の製造方法、および使用状態を説明する。
芯材３１は、外形を形成する刃とそれぞれの長孔３１ａを形成する刃とを有する抜型で、大判のポリプロピレン製板材を打ち抜くことで、容易に形成することができる。芯材３１を抜型で形成することで大量生産にも容易に対応することができる。
【００２２】
この芯材３１に、従来の草履と同じように、芯材３１の縦部材３１ｂおよび横部材３１ｃに、紐状部材３２を裏表交互に編み込んで草履台３を形成する。また、草履台３を形成する中で、鼻緒２の前緒２１と横緒２２とを編み込んで取り付ける。芯材３１は、縦部材３１ｂの両端部が横部材３１ｃにより固定されているので、縦部材３１ｂ同士の間隔が、紐状部材３２を編み込んでいく際の引張力でも撓むことなく変わらない。従って、縦部材３１ｂに左右に往復させながら編み込んでいく紐状部材３２を、容易に、かつ均一に編み込むことができる。このようにして芯材３１に紐状部材３２を編み込んでいくことで、見栄えのよい草履１を形成することができる。
【００２３】
従来の草履では、縦紐に横紐を編み込んでいく際に、初心者は外形の基準となる小判状の型を編み込んでいる最中の草履台３に当てながら、その型を目安に横紐を編み込んでいくことで、形を整えているが、本実施の形態では、芯材３１の外形が、そのまま草履１の外形となるので、初心者でも型を基準に当てることなく外形の整った草履１を形成することができる。従って、早く、正確に、形の整った草履１を形成することができる。
【００２４】
また、紐状部材３２を編み込む際に、各段の紐状部材３２同士の詰まり具合を調整したい場合には、横部材３１ｃは、縦部材３１ｂの前端部および後端部のみを連結しているので、紐状部材３２を縦部材３１ｂに沿って踵から爪先への方向や、その反対の方向へ移動させることで、紐状部材３２同士の間隔を容易に調整することが可能である。
【００２５】
使用者は、このようにして形成された草履１を、足の親指と中指とで鼻緒２をしっかりと鋏み込みようにして履き、そして、草履台３を足裏で踏み付けながら歩くことで、スリッパの代わりとすることができる。使用者の足裏のサイズが、草履台３のサイズに適していればよいが、鼻緒２を足の親指と中指とで鋏み込むことで、多少、足裏のサイズが小さくても、室内を歩き回るのに問題はない。また、草履台３を足裏で踏み付けながら歩くと、体重の掛かる親指の付け根や踵は、紐状部材３２に沈み込みことで密着する。従って、草履台３は、土踏まずを含む足裏全体を草履台３に接触させることが可能である。つまり、草履台３のサイズに合致した足裏の使用者から足裏の小さい使用者まで、草履台３の紐状部材３２に含まれたゲルマニウムを、ほぼ足裏全体に密着させることができる。
【００２６】
また、使用者の足裏のサイズが草履台３のサイズより大きい場合であっても、草履台３から踵がはみ出てしまうが、歩行に支障がなければ草履１を履くことは問題ではない。その場合には、はみ出た踵にはゲルマニウムを接触させることができないが、草履台３上に位置する足裏はゲルマニウムと接触している。
【００２７】
このように、足裏のサイズによって、足裏のつぼが草履台３上で位置が変わったとしても、ゲルマニウムを含む布地で形成された紐状部材３２が足裏に接触して密着するので、足裏のつぼをゲルマニウムにより刺激することができる。従って、草履１を履くことで、ゲルマニウムのよい影響を足のサイズに関わらず享受することができ、更なる健康の増進を図ることができる。
【００２８】
例えば、８の字状にした紐状部材の２つの輪の部分をそれぞれ両足の親指にかけると共に、交差部分を手元に引っ張って、手元から両足の親指に向かって扇形に広がる４本の縦紐とし、この縦紐に横紐を表裏交互に編み込んで行くことで作製する図５（Ａ）および同図（Ｂ）に示すような従来の草履５であれば、断面がほぼ円形状の縦紐６の表裏に、横紐７となる紐状部材３２が、交互に編み込まれていくことになる。そうなると、隣接する縦紐６同士の間にできる窪み８部分は、歩くときに足を踏み込んだとしても、足裏に密着しにくい。
【００２９】
本実施の形態では、図３に示すように、芯材３１の縦部材３１ｂは平板状なので、草履台３における平らな部分を、図５に示す従来の草履５より増加させることができ、紐状部材３２が表裏に交差しながら編み込むことでできる窪み３１ｄの幅を少ないものとすることができるので、足裏に密着する面積をより増加させることができる。
【００３０】
なお、本実施の形態では、草履１の芯材３１をポリプロピレン製板材としたが、横紐としてゲルマニウムを含む布地で形成された紐状部材３２を用いれば、図５に示すような縦紐６（縦部材）と横紐７（紐状部材）とを昔ながらの方法で編み込むような草履としてもよい。
【産業上の利用可能性】
【００３１】
本考案は、鼻緒と、草履台とを有する草履に好適であり、特にスリッパの代わりとして室内で使用される布草履に最適である。
【図面の簡単な説明】
【００３２】
【図１】本考案に係る草履全体を示す斜視図である。
【図２】図１に示す草履の平面図である。
【図３】図１に示す草履の断面図である。
【図４】図１に示す草履の芯材を示す平面図である。
【図５】従来の草履を示す図であり、（Ａ）は平面図、（Ｂ）は断面図である。
【符号の説明】
【００３３】
１  草履
２  鼻緒
２１  前緒
２２  横緒
３  草履台
３１  芯材
３１ａ  長孔
３１ｂ  縦部材
３１ｃ  横部材
３１ｄ  窪み
３２  紐状部材
５  従来の草履
６  縦紐
７  横紐
８  窪み
【図１】
0003137035.tif 000003
【図２】
0003137035.tif 000004
【図３】
0003137035.tif 000005
【図４】
0003137035.tif 000006
【図５】
0003137035.tif 000007